Podtech/llm-jp-corpus-v4-ja_patent huggingface dataset:
(57)【要約】      （修正有）【課題】固定型の机、椅子等に位置固定の特徴を持たせたまま、必要時には容易に移動できる机または椅子を提供する。【解決手段】大きさ、重さ、その移動の自在性等の要請に対して適切なキャスタを机、椅子等の片側２脚の外側に取り付ける。脚底面とキャスタホイール外縁面を合わせると４脚接地でき、キャスタのついていない片側を少し持ち上げることによりキャスタホイールだけが接地して容易に机、椅子等を移動させることが出来る。自在キャスタを用いる場合は、少し持ち上げた状態でキャスタ取り付け面が水平となるようにすると、軸方向の自在性が損なわれない。【選択図】図１
0003149576.tif 000002
【実用新案登録請求の範囲】
【請求項１】
片側２脚の外側にキャスタをつけた四脚の机または椅子。
【請求項２】
キャスタを取り付けた脚部の外側下面を切り欠いて，他側を持ち上げたときキャスタホイールのみ接地するようにした、請求項１記載の机又は椅子。    
【考案の詳細な説明】
【技術分野】
【０００１】
４脚のうち片側の２脚の外側にキャスタをつけ他側を少し持ち上げることにより楽に移動させることが出来る机、椅子等の構造に関する
【背景技術】
【０００２】
現在広く使われている四脚の机、椅子等は、４脚すべてがキャスタなしの固定型か、４脚すべてにキャスタをつけた可動型となっている。
【０００３】
事務用椅子は５脚のものが多いが５脚すべてにキャスタがついている可動型である。
【０００４】
固定型の特徴は位置を容易に変えることができないことで、それを移動させるには大きい労力を要する。
【先行技術文献】
【特許文献】
【０００５】
【特許文献１】特開平08-169204
【考案の開示】
【考案が解決しようとする課題】
【０００６】
位置を容易に変えられない固定型の机、椅子等の特徴を生かしつつ、必要に応じて容易に移動出来るようにする。
【０００７】
二人でないと動かせないというような机、作業台を一人で楽に動かせるようにする。
【０００８】
四脚の椅子を片手で軽く移動出来るようにする。
【課題を解決するための手段】
【０００９】
机、椅子等の四脚のうち二脚の外側にキャスタをつける。
【考案の効果】
【００１０】
机、椅子等の片側の２脚にキャスタをつけると、キャスタのついていない片側を少し持ち上げたまま押すあるいは引くことにより、一人で容易に位置を変えることができる。しかし持ち上げない状態では少なくとも２脚が地についており、固定型の机、椅子等と同様に位置を容易には変えられない。
【００１１】
後脚にキャスタがつけてあれば、食後テーブルから離れるとき背もたれを少し後に倒して前に押せば軽く椅子をテーブルに寄せることができる。両手あるいは足まで使う必要は無くなる。
【００１２】
しかし腰を下ろしていれば椅子の位置を動かすことは容易でない。
【考案を実施するための最良の形態】
【００１３】
四脚の椅子、机等を容易に移動出来るようにする為、四脚のうち二脚の外側にキャスタをつける。
【実施例】
【００１４】
どのような機能を重視するかによってキャスタの形式、体裁、材料、取り付け位置、取り付け方法等に種々の選択肢を生じこれが最良とは一概に言えないので、一般的事項を以下に列挙する。
【００１５】
キャスタホイール〈輪〉２の直径は大きい方が移動を滑らかにするが、体裁は一般に悪くなる。
【００１６】
床面７をいためないためにはゴム輪をもつキャスタ、あるいは合成樹脂製の双輪キャスタを用いるのが適当であろう。
【００１７】
体裁を重視する場合は、取り付ける机、椅子等に合わせてキャスタを設計、製作する必要がある。もちろん取り付け位置、方法についても同様である。（図１参照）
脚部１の底面とキャスタホイール２の接地面を一致させ、他の片側を持ち上げないときは４脚とも接地し、持ち上げたとき初めてキャスタホイール２が全重量を支えるようにすると、位置固定性がよくなり、対荷重性もキャスタなしの場合と等しくなる。（図１参照）
キャスタにはホイール２の軸４の方向が自由に変わる自在型のものと、軸方向固定型のものがある。そのいずれを選択するかは単方向移動を目的とするか、平面内移動を自在にすることを目的とするかによって変わる。
【００１８】
自在型のキャスタを用いる場合、机、椅子等の他の片側を少し持ち上げた状態でキャスタ取り付け面が水平になるように取り付けると、自在型キャスタの特徴が失われない。
【００１９】
比較的太い脚部１を持つ机、椅子等の場合、専用の単輪、方向固定キャスタを用いればその取り付けに気付かれないような外観を持たせることが可能となる。図１にその例を示す。
【００２０】
机の脚底面とキャスタの接地面が一致するよう４脚すべての長辺方向外側にキャスタを取り付けて可動化すると共に、ベースカバーで覆い外観をよくする方法もあろう。
【産業上の利用可能性】
【００２１】
発明者はこれまで作業台の片側の２脚にキャスタをつけて台を移動するときに利用してきた。大規模工場においても作業台配列変更の場合等に大きい効果があろう。
【図面の簡単な説明】
【００２２】
【図１】机、椅子等の太い脚部への単方向単輪キャスタ取り付け例〈脚中央断面図〉
【符号の説明】
【００２３】
１  脚部〈木製の場合〉
２  キャスタホイール
３  キャスタホルダー
４  キャスタ軸
５  取り付け用螺子釘
６  脚木部きりかぎ
７  床面
８  机、椅子等の脚を傾ける方向
【図１】
0003149576.tif 000003
(57)【要約】      （修正有）【課題】マイナスイオンを直接吸引することでストレスや活性酸素を解消することがでる携帯型マイナスイオン冷・温風吸引器を提供する。【解決手段】吸引器は、プラスチック等適宜素材にて一体形成した吸引器本体に、以下の装置を一体として組み上げた本体内面２を挿入組み込んでなる。内面２には、吸引器本体の外部より空気を吸い込む小型ファンモータ４、とり込まれた空気中の二酸化炭素を除去し清浄化する空気清浄装置３、清浄化された空気を冷・温風にする空気冷温装置５、冷温風の空気をイオン化する空気マイナスイオン発生装置６、マイナスイオンを吸引口から吹き出す空気吹出小型ファンモータ７を内設して構成する。【選択図】図２
0003149310.tif 000002
【実用新案登録請求の範囲】
携帯型で空気中の二酸化炭素を清浄してマイナスイオンと夏は冷風，冬は温風でいつでも，どこでも直接吸引する事で高いマイナスイオン効果が有り病気の元となるストレスを解消して健康な体を維持出来携帯にしたところが特徴のマイナスイオン冷温風吸引器。
【考案の詳細な説明】
【技術分野】
【０００１】  本考案は，携帯型にしてマイナスイオンを冷，温風で直接吸引する事に関するものである。
【背景技術】
【０００２】  従来のマイナスイオン発生器等は部屋なでは使用されていたが密閉された部屋でも発生器の吹出し口から離れているのでほとんど効果が無かった。
【考案の開示】
【考案が解しようとする課題】
【０００３】  マイナスイオン発生器等では部屋はもちろん屋外でも風などでマイナスイオンの空気は飛び散ってしまうので完全に効果がありませんでした従ってこの携帯型マイナスイオン冷，温風吸引器は携帯型にする事で前述の欠点を解決しようとするものである。
【課題を解決するための手段】
【０００４】  本考案は携帯型で直接吸引する事でマイナスイオン効果を高めいつでも，どこでも手軽に夏は冷たく，冬は温かく吸引する事で体内の病気の元となるストレスや活性酸素を解消して問題点を解決している。
【考案の効果】
【０００５】  上述の様に，本考案の携帯型マイナスイオン冷，温風吸引器は直接吸引するので多くのマイナスイオンを体内に吸収できるので病気の元となるストレスや活性酸素を解消するので病気の防止に役立つ。
【考案の実施するための最良の形態】
【０００６】  吸引器本体の後方から小型ファンモーターで空気を吸いこんで清浄して冷，温風装置を通ってマイナスイオン冷，温風空気を発生させて前方の小型ファンモータで吹出させてマイナスイオン冷，温風空気を吸引する。
【実施例】
【０００７】  以下、添付図面に従って一実施例を説明する。Ｉはプラスチックス等適宣素材にて一体化形成された吸引器本体、２は空気を清浄してその空気を冷，温風にしてマイナスイオンを発生させるそのための吸引器本体Ｉ内に設けた装置等で、３は空気中の二酸化炭素を除去し清浄する装置、４は空気を吸い込む小型ファンモーター、５はその清浄された空気を冷、温風にする装置、６は冷、温風の空気をマイナスイオンに変えて発生出来る装置、７はその空気マイナスイオンを吸引口から吹出する小型ファンモーターで８は充電装置、９は本体の電源スイッチ、１０は冷、温のスイッチ、１１がキャップである。【０００８】  本考案の一実施例は上述の如き構成からなるもので携帯型なので手軽に持ち歩きが出きる。
【図面の簡単な説明】
【０００９】
【図１】本考案の携帯型マイナスイオン冷、温風器の一実施例を示す正面図である。
【図２】本吸引器全部の断面図である。
【符号の説明】
【００１０】１  吸引器本体
２  本体の内面
３  空気清浄装置
４  空気吸出小型ファンモーター
５  空気冷、温装置
６  空気マイナスイオン発生装置
７  空気吹出小型ファンモーター
８  充電装置とコンセント
９  本体の電源スイッチ
１０  冷、温スイッチ
１１  キャップ
【図１】
0003149310.tif 000003
【図２】
0003149310.tif 000004
【手続補正書】
【提出日】平成20年8月8日(2008.8.8)
【手続補正１】
【補正対象書類名】実用新案登録請求の範囲
【補正対象項目名】全文
【補正方法】変更
【補正の内容】
【実用新案登録請求の範囲】
【請求項１】
携帯型で，マイナスイオンを発生装置で発生させる事で空気中の二酸化炭素を空気清浄して夏は冷風，冬は温風で、いつでも，どこでも，手軽に，快適に直接吸引する事で効果を高めストレスを解消し，健康な体を維持出来る携帯型マイナスイオン冷，温風吸引器。
【手続補正書】
【提出日】平成20年10月16日(2008.10.16)
【手続補正１】
【補正対象書類名】実用新案登録請求の範囲
【補正対象項目名】全文
【補正方法】変更
【補正の内容】
【実用新案登録請求の範囲】
【請求項１】
携帯型ボトルケースの中に設けた吸出小型ファンモーターと吹出小型ファンモーターから発生する電子を応用し又は別の小型モーターを設置してマイナスイオンを発生しエアコンと同じように冷、温風を作り出す小型サーモスタットを設けて吸出小型ファンモーターから吸出した空気をマイナスイオンと共に吹出小型ファンモーターで吹出した冷温風マイナスイオンを直接吸引する。
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
携帯型ボトルに吸出、吹出小型モーター又は別の小型モーターの電子でマイナスイオンを発生させ冷、温を作り出す小型サーモスタット等の装置を設けて、その冷、温風マイナスイオンを吹出小型ファンモーターで吹出し、冷、温風マイナスイオンを直接吸引させるための携帯型マイナスイオン冷、温風吸引器。
(57)【要約】【課題】  製造容易であるとともに軽量で、かつ、強固な構成を持つプラスチックス製の台車を提供する。【解決手段】  平面形状が長方形の台板２の下面の四隅近傍それぞれにキャスター４が取り付けられて構成される台車１において、台板２がプラスチックプレートよりなり、その下面に長手方向に、互いが平行となるように２本の補強用金属パイプ１４が取り付けられてなる台車。【選択図】図２
0003149360.tif 000002
【実用新案登録請求の範囲】
【請求項１】
平面形状が長方形の台板の下面の四隅近傍それぞれにキャスターが取り付けられて構成される台車において、
前記台板がプラスチックプレートよりなり、その下面に長手方向に、互いが平行となるように２本の補強用金属パイプが取り付けられてなることを特徴とする台車。
【請求項２】
前記補強用金属パイプのそれぞれが、前記キャスターの取り付けに際し端部それぞれが一体に固定されることで取り付けられてなる請求項１記載の台車。
【請求項３】
前記台板が下面に補強リブを連続一体に備え、前記補強用金属パイプのそれぞれがそれら補強リブに嵌め込み状態に取り付けられてなる請求項１又は２記載の台車。
【考案の詳細な説明】
【技術分野】
【０００１】  この考案は、プラスチックス製の台車に関する。
【背景技術】
【０００２】  工場や倉庫において、また、宅配業務や引越し作業において、物品の搬送に台車が汎用されている。この種の台車は重量を受ける状態で移動使用されるので強度が必要であり、通常金属製とされている。
【考案の開示】
【考案が解決しようとする課題】
【０００３】  上記の金属製の台車は、その台板部分が通常２枚の金属パネルが重ね状態に固定されて構成されるのでその製造に手間がかかり、また、全体重量も大きかった。さらに、金属製の場合、長年の使用により錆が発生して見栄えが悪くなるという問題もあった。【０００４】  この考案は上記の点に鑑みて行ったもので、製造容易であるとともに軽量で、かつ、強固な構成を持つプラスチックス製の台車を提供することを目的とする。
【課題を解決するための手段】
【０００５】  この考案では、平面形状が長方形の台板の下面の四隅近傍それぞれにキャスターが取り付けられて構成される台車において、前記台板がプラスチックプレートよりなり、その下面に長手方向に、互いが平行となるように２本の補強用金属パイプが取り付けられてなることを特徴とする台車を提供する。【０００６】  上記構成の台車は、台板がプラスチックプレートよりなるので軽量で、かつ、台板は型成形により製造容易に得られる。また、２本の補強用金属パイプが台板の下面に長手方向に互いが平行となるように取り付けられることで、プラスチックプレートよりなる台板はその長手方向におけるたわみが抑えられ、重量物が載置された場合にも湾曲したり破損することが回避される。この考案は台板の平面形状が長方形のものであれば、押し手の有無等に関係なくすべての台車に適用される。【０００７】  とくに、補強用金属パイプがキャスターの取り付けに際し端部それぞれが一体に固定されることで、その取り付けが手間をかけることなく行われる。さらに、補強用金属パイプのそれぞれが補強リブに嵌め込み状態に取り付けられる構成とされることで台板に一体に密着して取り付けられ、これにより、補強用金属パイプが安定保持されるとともに、補強用金属パイプによる台板の補強機能が確実に果たされる。
【考案の効果】
【０００８】  この考案によれば、製造容易であるとともに軽量で、かつ、強固な構成を持つプラスチックス製の台車が得られる。
【考案を実施するための最良の形態】
【０００９】  図１はこの考案の台車の上面側斜視図、図２は同下面側斜視図である。台車１は平面形状が長方形（９０×６０ｃｍ  ）のプラスチックスプレートよりなる台板２の下面の四隅近傍にキャスター４のそれぞれが取り付けられて構成されている。【００１０】  台板２は、天面部５の周縁から下方に周縁部６が垂下するように一体に形成され、さらに、天面部５の下面に格子状に多数本の補強リブ８が一体に突設されて形成されている。１０は持ち運ぶ際に手を入れる円形穴、１２のそれぞれは滑り止めである。【００１１】  １４のそれぞれは補強用金属パイプであり、台板２の下面に長手方向に、互いが平行となるように取り付けられている。図３はその取り付け固定の説明図、図４は図２のＡ−Ａ位置における断面図であり、補強用金属パイプ１４はその途中部が補強リブ８それぞれに形成される嵌め込み部１６に嵌め込まれるとともに、その両方の端部２０がキャスター４の取り付け面の下方スペース１８に納められ、その端部２０が上方より取り付け固定されるキャスター４の台座３０により押圧固定されることで取り付けられる。キャスター４の台座３０は、一端側が壁部２２の下方に水平に突出形成された押さえリブ４０の下側に嵌合されるとともに、他方側に形成された取り付け穴３４それぞれに補強リブ８交差面より突出するはネジ３２それぞれが挿通され、ナットで固定されることにより取り付けられる。【００１２】  上記のように、２本の補強用金属パイプ１４が台板２の下面に長手方向に取り付けられることで、台板２はその長手方向におけるたわみが抑えられて重量物が載置された場合にも湾曲したり破損することが回避される。補強用金属パイプ１４を用いることなく強固なプラスチック製台板を得るには、プラスチックプレートの厚みを大きくし、かつ、台板下面の補強リブも全面にわたって深く形成する必要があるが、補強用金属パイプ１４を使用した構成によれば、この実施例の台車２のように台板２を構成するプラスチックプレートをそれほど厚くすることなく、また、補強リブ８も補強用金属パイプ１４が位置する両側部はそれほど深く形成する必要がなくなり、その結果、樹脂材料も節約される。【００１３】  補強用金属パイプ１４は、その途中部が補強リブ８それぞれに形成される嵌め込み部１６に嵌め込まれる状態に取り付けられることで台板２に一体に密着して取り付けられ、これにより、補強用金属パイプ１４が安定保持されるとともに、かつ、補強用金属パイプ１４による台板２の補強機能が確実に果たされる。くわえて、補強用金属パイプ１４はキャスター４の取り付け固定とともに取り付けられることで、その取り付けが手間をかけることなく行われる。
【図面の簡単な説明】
【００１４】
【図１】  この考案の台車の実施形態の上面側斜視図
【図２】  この考案の台車の実施形態の下面側斜視図
【図３】  この考案の台車の補強用金属パイプの取り付け固定の説明図
【図４】  図２のＡ−Ａ位置における断面図
【符号の説明】
【００１５】１    台車
２    台板
４    キャスター
８    補強リブ
１４  補強用金属パイプ
１６  嵌め込み部
【図１】
0003149360.tif 000003
【図２】
0003149360.tif 000004
【図３】
0003149360.tif 000005
【図４】
0003149360.tif 000006
(57)【要約】      （修正有）【課題】歯並びに関係なく口腔内に容易・迅速に装着できる健康用マウスピースを提供する。【解決手段】中が空中で耐久性のあるシリコンゴムなど合成樹脂で成型された外被体１の中空部内に、容易に屈曲できるようにアルミニウムなど柔軟性のある金属で形成した芯体２を挿脱自在に設ける。芯体２を外被体１の中空部に挿入後、外被体１の両端開口部を封止部３で閉塞し、装置の取り外しの容易性及び飲み込み事故を防ぐためにリンク４を外被体１に遊嵌してマウスピースを構成する。鎖６は、カップリング５を介してリンク４に結合してなる。中空部を有する外被体とその中に挿入された柔軟性のある芯体により、容易に曲折でき、誰でも装着できるようになる。【選択図】図１
0003149353.tif 000002
【実用新案登録請求の範囲】
【請求項１】
中空部を有する可橈性の外被体と、前記外被体の中空部に挿入された柔軟性の芯体と、外被体の両端部を封止部とからなる健康用マウスピース。
【請求項２】
前記外被体に遊嵌された輪状体と、前記輪状体に連接された鎖体とを備えた請求項１記載の健康用マウスピース。
【考案の詳細な説明】
【技術分野】
【０００１】  本考案は、口腔内に装着することで、口元の口唇筋又は表情筋を鍛え“シミ・たるみ”を除去するマウスピースに関するものである。
【背景技術】
【０００２】  従来のマウスピースは歯並びを矯正するためのものであり、また一部スポーツ選手の歯を守る為に着用されていた。
【考案の開示】
【考案が解決しようとする課題】
【０００３】  歯並びは個人差があり、その為歯科医に出向き治療を行なわなければならず高価なものであった。
【課題を解決するための手段】
【０００４】  本考案は、中空部を有する外被体と、前記外被体の中空部に、挿入された芯体より、容易に曲折でき簡単に誰でも装着できるものである。
【考案の効果】
【０００５】  本考案は、芯体を挿入した可橈性の外被体で被われたマウスピースをすることにより、鼻呼吸を促進しマウスドライ等を防ぎ口腔内のばい菌の繁殖を防止し、又唾液をよく出し健康を維持していく上で効果があるものである。
さらに本考案の健康用マウスピースを装着することで、食事がおいしくなり量も増量し体調の維持・向上に優れた効果を発揮する。国民の医療費の削減に役立つものと考える。
【考案を実施するための最良の形態】
【０００６】  以下、添付図面に従って本考案の一実施例を説明する。１は耐久性のある例えばシリコンゴムなどの合成樹脂で成形された外被体で、中が中空になっている。２は外被体の中空部内に挿脱自在に設けられた芯体で、この芯体は、たとえばアルミニューム等の柔軟性のある金属で形成されているので容易に屈曲できる。３は封止部で、芯体２を外被体１の中空内に挿入後、外被体１の両端開口部を閉塞するためのものである。この封止部３は、芯体１が突出しないよう防護するものであり、また衛生上唾液が侵入しないようにするためのものである。【０００７】  ４は外被体１に遊嵌したリンクである。これは飲み込みなどの事故を防ぐために取り付けたものである。また装着を取り外すときに便利性衛生上を考慮したものである。【０００８】  ５はカップリングという金具であり、リンク４と鎖６を連接し、鎖６が絡まないようにするものである。鎖６は健康用マウスピースを飲み込みできないように防止するものであり、また紛失をしないようにしたものである。
【図面の簡単な説明】
【０００９】
【図１】本考案健康用マウスピースの一実施例を示す正面図である。
【図２】本考案健康用マウスピースの封止部の部分拡大断面図である。
【符号の説明】
【００１０】１    外被体
２    芯体
３    封止部
４    リンク
４ａ  リンク
５    カップリング
６    鎖
【図１】
0003149353.tif 000003
【図２】
0003149353.tif 000004
(57)【要約】【課題】いつまでも設置当初のようにきれいで汚れがつきにくく、あるいは汚れても汚れが落ちやすくなおかつ外観は特に従来と変わりがない墓石を提供すること。【解決手段】加工した複数の単位石材を組み合わせて所定の外観を構築した墓石であって、外部に露出する前記単位石材の壁面に水ガラスからなる透明な被膜層を形成する。これによって、汚れにくく、また汚れても簡単にその汚れを落とすことができ、設置当初の墓石のきれいさを保つことができる。【選択図】      図１
0003149378.tif 000002
【実用新案登録請求の範囲】
【請求項１】
加工した複数の単位石材を組み合わせて所定の外観を構築した墓石であって、外部に露出する前記単位石材の壁面に水ガラスからなる透明な被膜層を形成したことを特徴とする墓石。
【請求項２】
前記壁面はドライアイスペレットを高圧で吹き付けて洗浄されてから、前記被膜層が形成されていることを特徴とする請求項１に記載の墓石。
【考案の詳細な説明】
【技術分野】
【０００１】
本考案は墓のモニュメントとして設置される墓石に関するものである。
【背景技術】
【０００２】
墓石は一般に野外の風雨の曝される場所に設置されるため、年数が経過することによってどうしてもほこりやススのような付着物が付着して設置当初のようなきれいな状態を保つのは困難であった。
【考案の概要】
【考案が解決しようとする課題】
【０００３】
そのため、いつまでも設置当初のようにきれいでは汚れがつきにくく、あるいは汚れても汚れが落ちやすくなおかつ外観は特に従来と変わりがない墓石が求められていた。
【課題を解決するための手段】
【０００４】
上記の目的を達成するための第１の手段として、加工した複数の単位石材を組み合わせて所定の外観を構築した墓石であって、外部に露出する前記単位石材の壁面に水ガラスからなる透明な被膜層を形成したことをその要旨とする。
このような構成では、水ガラスからなる透明な被膜層によって外部に露出する単位石材の壁面が覆われているため、汚れにくく、また汚れても簡単にその汚れを落とすことができ、設置当初の墓石のきれいさを保つことができる。
ここに「水ガラス」とは可溶性ケイ酸アルカリ（リチウムを除く）であって、一般的にはナトリウムシリカート又はカリウムシリカートが用いられる。形成方法としては一般に水ガラスを直接塗布あるいは噴霧して溶媒を蒸発させて硬質層を得るようにする。
第２の手段では第１の手段に加え、前記壁面はドライアイスペレットを高圧で吹き付けて洗浄されてから、前記被膜層が形成されていることをその要旨とする。これによってきれいな状態の壁面を透明な被膜層で包囲することができる。
【考案の効果】
【０００５】
上記各請求項の考案では、水ガラスからなる透明な被膜層によって壁面が覆われているため、汚れにくく、また汚れても簡単にその汚れを落とすことができ、設置当初の墓石のきれいさを保つことができる。
【図面の簡単な説明】
【０００６】
【図１】本実施例の墓石の斜視図。
【図２】単位石材と被膜層の構造を説明する部分拡大断面図。
【考案を実施するための形態】
【０００７】
以下、本考案における墓石を具体化した一実施例を図面に基づいて説明する。
図１に示すよう墓石１は複数の単位石材２〜５を組み合わせて構築されている。単位石材２〜５の外気に露出された壁面２ａ〜５ａ部分は前もってドライアイスペレットが高圧で吹き付けられることで、その衝撃と急冷及び気化膨張した二酸化炭素によって表面の汚れが除去されている。図２に示すように、壁面２ａ〜５ａ上に水ガラスの透明な被膜層７が形成されている。本実施例の水ガラスは例えばカリウムシリカートを主成分とする。壁面２ａ〜５ａの石の模様は被膜層７を通して目視することができる。
このような構成の墓石１であれば外気に露出される部分は被膜層７に覆われているため、汚れにくく、また汚れても簡単にその汚れを落とすことができ、設置当初の墓石のきれいさを保つことができる。
【０００８】
なお、この発明は，次のように変更して具体化することも可能である。
・墓石１以外の墓石１を設置する土台となる石積みや周囲の階段等に被膜層７処理を施すことも可能である。
・外部に露出する壁面２ａ〜５ａのすべてに被膜層７を形成しなくとも、所定の面のみに形成するようにしてもよい。例えば、文字や家紋の刻まれている正面側壁面のような見えやすい壁面のみに被膜層７を形成するようにしてもよい。
その他、本考案の趣旨を逸脱しない態様で実施することは自由である。
【符号の説明】
【０００９】
１…墓石、２〜５…単位石材、２ａ〜５ａ…壁面。
【図１】
0003149378.tif 000003
【図２】
0003149378.tif 000004
(57)【要約】      （修正有）【課題】粉砕・ハツリする相手素材より硬い超硬素材を先端部に使用し、摩耗や欠けが生じにくくすると共に、摩耗や欠けが生じた時は、先端部のみ交換可能な構造とした交換式ブルポイントを提供する。【解決手段】交換式ブルポイントの先端部２は、耐衝撃工具用超硬素材２ａをその端部に摩擦圧接し、ブルポイント本体１に着脱可能なる様に取り付け、止めねじ１ｂで固定してなる。該交換式ブルポイントの先端部２の先端は、６０度に加工し、最先端部は欠け防止のためＲ加工をする。【選択図】図１
0003149345.tif 000002
【実用新案登録請求の範囲】
【請求項１】
破砕・ハツリ用ブルポイントに耐衝撃工具用超硬を摩擦圧接して破壊力を向上して、超硬素材の磨耗・カケをカバーする為先端を交換方式にしたブルポイント。
【考案の詳細な説明】
【技術分野】
【０００１】。
本考案は、ハンマードリル用ブルポイントの先端を耐衝撃工具超硬素材にすることで破壊力を向上させた、破砕・ハツリ用ブルポイントに関するものである。
【背景技術】
【０００２】  破砕・ハツリ作業において破砕する相手がコンクリート・石で硬く、焼入れ鋼・高速度鋼のブルポイントでは、先端が磨耗しやすく破壊力がすぐ低下してしまう。
【考案の開示】
【考案が解決しようとする課題】
【０００３】  本考案は、磨耗・カケやすいブルポイントの先端を磨耗に強い素材にして破壊力持続させて、交換時期の延長と交換も先端部だけの交換方式にする。
【課題を解決するための手段】
【０００４】  本考案のブルポイントは、非常に硬く粉砕・ハツリ作業を軽減する耐衝撃工具用超硬素材を使用して、超硬素材の欠けやすい弱点をカバーするためブルポイントの先端部を交換式にして問題を解決する。
【考案の効果】
【０００５】  本考案は、先端の素材が硬いため破壊力が落ちないで、少ない力で破砕・ハツリ作業ができ、磨耗・カケによるブルポイントの交換も先端だけを簡単に交換できるようになった。
【考案を実施するための最良の形態】
【０００６】  本考案は、耐衝撃工具用超硬のブルポイントは粉砕・ハツリする相手より硬い超硬素材を使用することにより、粉砕・ハツリ作業を軽減して、磨耗・カケによるブルポイントの交換作業も先端だけで交換出来るようになった。
【実施例】
【０００７】  以下、添付図に従って実施例を説明する。１は従来のブルポイントの本体で、２はカートリッジ部で２ａ耐衝撃工具用超硬素材摩擦圧接した式先端部。【０００８】  ６は前記ブルポイントの超硬の先端部の角度６０度で、先端はカケをふせぐためＲ加工（図示せず）をする。
【産業上の利用可能性】
【０００９】  小型電動ハンマー用のブルポイントとして、威力を発揮する。
【図面の簡単な説明】
【００１０】
【図１】  本考案のハンマードリル用交換式ブルポイントの正面図である。
【符号の説明】
【００１１】１    ブルポイント本体
１ｂ  止めねじ穴
２    交換式超硬付ブルポイントの先端部
２ａ  耐衝撃工具用超硬
【図１】
0003149345.tif 000003
(57)【要約】      （修正有）【課題】髪の毛がガイドの間を通ってまっすぐとかせ、髪の中までしっかりととかすことができるブラシを提供する。【解決手段】髪をとかすブラシにおいて、とかす髪の毛の方向にガイドを有し、ガイドとガイドの間にガイドより短いブラシ部を持つことを特徴とする。これにより、早くきっちりと髪をまっすぐにとらえてとかすことができ、その後のカールやセットが簡単にできるようになる。【選択図】図７
0003149341.tif 000002
【実用新案登録請求の範囲】
【請求項１】
髪をとかすブラシで、とかす髪の毛の方向にガイドを有する物。
【請求項２】
請求項１のブラシでガイドより短いブラシ部をもつもの。
【考案の詳細な説明】
【技術分野】
【０００１】本考案は髪の毛をとかすブラシに関するものである。
【背景技術】
【０００２】従来のブラシは平面図［図１］、側面図［図２］、右側面図［図３］のようにできている。
【考案の開示】
【考案が解決しようとする課題】
【０００３】従来のブラシ［図１］、［図２］、［図３］で髪をとかすと、髪をとかした場合の平面図［図４］、髪をとかした場合の側面図［図５］髪をとかした場合の右側面図［図６］のようになる。ブラシが髪の毛の表面をとかしているだけで、中までしっかりと髪をとかしていない。
【課題を解決するための手段】
【０００４】本考案の平面図［図７］、側面図［図８］、右側面図［図９］のように髪をとかす方向にそったガイドをつけたものである。本考案で髪をとかした場合の平面図が［図１０］、側面図が［図１１］、右側面図が［図１２］となる。本考案で髪をとかした場合、ガイドの間を髪の毛が通ってまっすぐとかせるし、髪の中までしっかりとかすことができる。
【考案の効果】
【０００５】［図１０］［図１１］［図１２］のように髪の毛をガイドがとらえて、ガイドとガイドの間のブラシが髪をしっかりとらえて、まっすぐ中までブラッシングできていることがわかる。
【実施例】
【０００６】［図１３］が本考案で作成されたカールブラシの平面図で［図１４］が左側面図である。髪をとかしたときの平面図が［図１５］、左側面図［図１６］でガイドとガイドの間を髪が通り、ブラシ部がしっかり髪をとらえているのがわかる。
【産業上の利用可能性】
【０００７】［図１０］［図１１］［図１２］のように早くきっちりと髪をまっすぐとらえてとかすことができ、その後のカールやセットが簡単にできるようになる。
【図面の簡単な説明】
【０００８】
【図１】従来のブラシの平面図。
【図２】従来のブラシの側面図。
【図３】従来のブラシの右側面図。
【図４】従来のブラシで髪をといた平面図。
【図５】従来のブラシで髪をといた側面図。
【図６】従来のブラシで髪をといた右側面図。
【図７】本考案のブラシの平面図。
【図８】本考案のブラシの側面図。
【図９】本考案のブラシの右側面図。
【図１０】本考案のブラシで髪をといた平面図。
【図１１】本考案のブラシで髪をといた側面図。
【図１２】本考案のブラシで髪をといた右側面図。
【図１３】本考案で作られたカールブラシの平面図。
【図１４】本考案で作られたカールブラシの左側面図。
【図１５】本考案で作られたカールブラシで髪をといた平面図。
【図１６】本考案で作られたカールブラシで髪をといた左側面図。
【図１】
0003149341.tif 000003
【図２】
0003149341.tif 000004
【図３】
0003149341.tif 000005
【図４】
0003149341.tif 000006
【図５】
0003149341.tif 000007
【図６】
0003149341.tif 000008
【図７】
0003149341.tif 000009
【図８】
0003149341.tif 000010
【図９】
0003149341.tif 000011
【図１０】
0003149341.tif 000012
【図１１】
0003149341.tif 000013
【図１２】
0003149341.tif 000014
【図１３】
0003149341.tif 000015
【図１４】
0003149341.tif 000016
【図１５】
0003149341.tif 000017
【図１６】
0003149341.tif 000018
(57)【要約】      （修正有）【課題】まつげをいためたり、折れたりすることを少なくすることができるまつげカーラーを提供する。【解決手段】円弧状に湾曲した帯状のプレートと、プレートに対向して配置された弾性体をもつまつげカーラーで、複数のプレートを配置したことを特徴とする。これにより、まつげを曲げる部分にかかる負担が少なくなり、まつげをいためたり折れたりすることが少なくなり、安心してまつげをカールできる。【選択図】図６
0003149342.tif 000002
【実用新案登録請求の範囲】
【請求項１】
円弧状に湾曲した帯状のプレートと、プレートに対向して配置された弾性体をもつまつげカーラーで、複数のプレートを配置したまつげカーラー。
【考案の詳細な説明】
【技術分野】
【０００１】本考案はまつげをカールするまつげカーラーに関するものである。
【背景技術】
【０００２】従来のまつげカーラーの斜視図［図１］、従来のまつげカーラーの側面図［図２］のようにできている。
【考案の開示】
【考案が解決しようとする課題】
【０００３】従来のまつげカーラーの斜視図［図１］の部分のアを上面から見たものが［図３］である。［図３］のＡ−Ａ‘の断面が［図４］である。［図４］でまつげをはさんだ場合は［図５］のようになる。まつげが弾性体とプレートではさまれ、まつげが弾性体の中に入りこんでＶ字型の角度Ｂの状態となり、まつげを強く折り曲げている。まつげに強い負担がかかっている。これにより、まつげがいたんだり折れたりする原因となる。
【課題を解決するための手段】
【０００４】［図６］は本考案で複数のプレートをつけたまつげカーラーである。これでまつげをはさんだ場合は［図７］のようになる。この図からわかるようにまつげをプレートでおさえた時の角度は、角度Ｃ、角度Ｄとなり、従来のアイラッシュカーラーの角度Ｂよりは角度が広く、Ｖ字型の角度が緩和されて、まつげをいためたり折れたりするのを少なくすることができる。
【考案の効果】
【０００５】まつげにかかる力が［図５］のＶ字型から［図７］の開いたＷ型になり、まつげにかかる力が緩和されて従来のまつげカーラーより、まつげをいためたり、折れたりすることを少なくすることができる。
【実施例】
【０００６】［図８］が従来のまつげカーラーでカールした時のまつげの状態である。［図９］が本考案のまつげカーラーでカールした時のまつげの状態である。［図８］の従来のまつげカーラーで曲げたときのまつげの角度がＥであり、［図９］本考案のまつげカーラーでまげた時のまつげの角度がＦ，Ｇであり、Ｅの角度よりＦ，Ｇの角度は大きく、曲げている角度が従来のものより広いので、まつげにかかる負担を軽減している。
【産業上の利用可能性】
【０００７】従来のまつげカーラーよりまつげを曲げる部分にかかる負担が少なくなり、まつげをいためたり、折れたりすることを少なくすることができる。安心してまつげをカールでき、まつげのカールをされる方を増やす事ができる。またまつげ化粧剤との併用が促進される。
【図面の簡単な説明】
【０００８】
【図１】従来のまつげカーラーの斜視図。
【図２】従来のまつげカーラーの側面図。
【図３】［図１］の部分アを上面から見た図。
【図４】［図３］のＡ−Ａ‘の断面図。
【図５】従来のまつげカーラーでまつげをはさんだときの断面図。
【図６】本考案のまつげカーラーの断面図。
【図７】本考案のまつげカーラーでまつげをはさんだときの断面図。
【図８】従来のまつげカーラーでカールしたまつげの図。
【図９】本考案のまつげカーラーでカールしたまつげの図。
【図１】
0003149342.tif 000003
【図２】
0003149342.tif 000004
【図３】
0003149342.tif 000005
【図４】
0003149342.tif 000006
【図５】
0003149342.tif 000007
【図６】
0003149342.tif 000008
【図７】
0003149342.tif 000009
【図８】
0003149342.tif 000010
【図９】
0003149342.tif 000011
(57)【要約】      （修正有）【課題】駐輪する自転車を立て置きにする場合、スタンド支持杆の接地部を支持杆の回動に連動して自動的に広げて転倒を防止するスタンドを提供する。【解決手段】自転車後輪軸の受け金１に倒伏自在に枢着してなる支持杆２の、底杆２２に、夫々の先端に接地片３ａ，４ａを上下調節自在に固定した鈎スライド杆３，４を摺動自在に保持し、当該鈎スライド杆３，４の互いに相対した鈎部３ｂ，４ｂの間にばね５の両端を固定して介装し、一方の鈎部３ｂに基端を固定したワイヤー６を、ばね５の中を挿通して他方の鈎部４ｂの調節ナット７を貫通して曳き出し、これを筒管８の中を通して受け金１の湾曲面１Ａの固定片１Ｂに固定すると共に、支持杆２に基端を固定したハンドルロックワイヤー９をロックレバー１０の作動枠１１の調節ナットを貫通して自転車ハンドルのハンドルロック１２に連結した安全な構造とした。【選択図】図１
0003149344.tif 000002
【実用新案登録請求の範囲】
【請求項１】
自転車後輪軸の受け金（１）に倒伏自在に枢着してなる支持杆（２）の、底杆（２２）に、夫々の先端に接地片（３ａ），（４ａ）を上下調節自在に固定した鈎スライド杆（３），（４）を摺動自在に保持し、当該鈎スライド杆（３），（４）の互いに相対した鈎部（３ｂ），（４ｂ）の間にばね（５）の両端を固定して介装し、一方の鈎部（３ｂ）に基端を固定したワイヤー（６）を、ばね（５）の中を挿通して他方の鈎部（４ｂ）の調節ナット（７）を貫通して曳き出し、これを筒管（８）の中を通して受け金（１）の湾曲面（１Ａ）の固定片（１Ｂ）に固定すると共に、支持杆（２）に基端を固定したハンドルロックワイヤー（９）をロックレバー（１０）の作動枠（１１）の調節ナットを貫通して自転車ハンドルのハンドルロック（１２）に連結してなる自転車の安全スタンドの構造。
【考案の詳細な説明】
【技術分野】
【０００１】  本考案は、駐輪する自転車を立て置きにする場合、転倒を防止する付属スタンドの構造に関するものである。
【背景技術】
【０００２】  近年、混雑の激しい都会地の交通環境の中で、自転車の利用者のマナーの悪さが問題視されており、その中で、歩行者に危険を及ぼす違法走行行為も多いが、至る所に無闇に駐輪する立て置きの自転車の倒伏による危険も無視出来ない現状にある。【０００３】  特に二人以上の子供を持つ母親にとって必要にせまられている３人乗りが、法的に禁じられている理由の一つに、子供を乗せたまま駐輪立て置きする場合の転倒の危険が問題となっている。
【考案の開示】
【考案が解決しようとする課題】
【０００４】  自転車を立て置きにして駐輪する場合、後輪の軸受けに回動自在に備設した立て置きスタンドが一般的に用いられている。このスタンドは、走行時は、支持脚を後輪の後方に跳ね上げて保持し、駐輪する場合は、回動して接地した支持脚の上部枢着部を、ロックレバーでロックして支持脚の跳ね上がりを防ぎ、立て置き状態の接地を確実にして自転車車体の倒伏による危険を防止するものである。【０００５】  しかしながら、走行時に、後輪の後方に跳ね上げて保持した支持脚が、走行中に歩行者を傷つけないよう接地部の幅は出来るだけ狭く作られているため、駐輪する場合は、回動してロックしても支持脚の接地幅が狭いため倒伏する危険があり、特に、子供を乗せたままの立て置き駐輪は、著しく危険を伴う現状にある。
【課題を解決するための手段】
【０００６】  本考案は、自転車の後輪の軸受けに回動自在に備設した立て置きスタンドの、支持脚接地部を、走行時はそのまま跳ね上げて保持し、立て置きにして駐輪する場合は、スタンドを回動して支持脚を接地させると、接地部の伸長部材が両サイドに自動的に伸び出て接地部の幅が広くなり、次いで支持脚をロックするとロックレバーに連動したワイヤーで前方のハンドルをやや横向きに固定ロックして相乗効果で車体が倒れるのを防止する安全スタンドを提供するものである。
【考案の効果】
【０００７】  本考案は、走行時は後輪に跳ね上げ保持するスタンドは通常の幅であるから歩行者に邪魔にならず、スタンドを回動して接地部を接地した時のみ接地部の伸長部材が両サイドに伸び出て幅広くなり、スタンドの接地部が幅広く安全に安定し、同時にスタンドをロックすとロックレバーに兼用して連動したワイヤーでハンドルを固定ロックするから、その相乗効果により、自転車車体が横に倒れる危険が防止され安全が確保される効果があるものである。
【考案を実施するための最良の形態】
【０００８】  本考案は、自転車後輪軸の受け金（１）に倒伏自在に枢着してなる支持杆（２）の、底杆（２２）に、夫々の先端に接地片（３ａ），（４ａ）を上下調節自在に固定した鈎スライド杆（３），（４）を摺動自在に保持し、当該鈎スライド杆（３），（４）の互いに相対した鈎部（３ｂ），（４ｂ）の間にばね（５）の両端を固定して介装し、一方の鈎部（３ｂ）に基端を固定したワイヤー（６）を、ばね（５）の中を挿通して他方の鈎部（４ｂ）の調節ナット（７）を貫通して曳き出し、これを筒管（８）の中を通して受け金（１）の湾曲面（１Ａ）の固定片（１Ｂ）に固定する。【００９】  更に、支持杆（２）に基端を固定したハンドルロックワイヤー（９）をロックレバー（１０）の作動枠（１１）の調節ナットを貫通して自転車ハンドルのハンドルロック（１２）に連結した構造とした。【００１０】  自転車が走行する時は、支持杆（２）は、受け金（１）の枢着部を中心に地面と平行に跳ね上げ保持されるが、この場合、ワイヤー（６）がゆるんで鈎部（３ｂ），（４ｂ）の間のばね（５）の縮小緊張が解かれ反発して鈎部（３ｂ），（４ｂ）の間を広げ、鈎スライド杆（３）（４）を摺動させて夫々の先端の接地片（３ａ），（４ａ）を引っ込めるから、スタンドは通常の幅で歩行者に安全で邪魔にならない。【００１１】  駐輪する場合、スタンドを立てる時、支持杆（２）を枢着部を中心に回動すると、回動作動につれて受け金（１）の固定片（１Ｂ）に基端を固定したワイヤー（６）が、湾曲面（１Ａ）に案内されて引き込み、ばね（５）が徐々に縮小して鈎部（３ｂ），（４ｂ）の間を縮め、鈎スライド杆（３），（４）を摺動しての接地片（３ａ），（４ａ）の部分を底杆（２２）の両外側に徐々に押し出し、支持杆（２）の接地幅を広げて接地片（３ａ），（４ａ）を安全に安定して接地させる。【００１２】  同時にスタンド即ち支持杆（２）をロックレバー（１０）でロックすると、ハンドルロックワイヤー（９）の調節ナットを貫通する部分が兼用となるロックレバー（１０）の作動枠（１１）で引っ張られ、ハンドルロック（１２）が作動して自転車ハンドルが固定されるから、自転車の前輪も固定され、その相乗効果により、支持杆（２）が安定して安全にスタンドされる効果がある。
【図面の簡単な説明】
【００１３】
【図１】本考案の斜視図である。
【符号の説明】
【００１４】１    受け金
２    支持杆
３    鈎スライド杆
４    鈎スライド杆
３ａ  接地片
３ｂ  鈎部
４ａ  接地片
４ｂ  鈎部
５    ばね
６    ワイヤー
７    調節ナット
８    筒管
９    ハンドルロックワイヤー
１０  ロックレバー
１１  作動枠
１２  ハンドルロック
【図１】
0003149344.tif 000003
(57)【要約】      （修正有）【課題】吊り紐が装着されていないビニール袋を、開口した状態で確実に吊着し、軽量で持ち運びが容易なスタンドを提供する。【解決手段】互いに脚部で交叉し，揺動自在に軸支されているスタンド枠１，２の上部の水平部分にビニール袋の開口部外周を外側に折り畳んで纏着させながら両手で押し広げ、ビニール袋の張力が十分大きくなったときに折り曲げ式ストッパー４を延伸させてスタンド枠１，２を固定する。ビニール袋を取り外すときはストッパー４を折り曲げる。【選択図】図１
0003149321.tif 000002
【実用新案登録請求の範囲】
【請求項１】
ビニール袋の開口部をスタンドに吊着する時に縁を外側に折り畳んだビニール袋の開口部の全周が水平を保ち、且つ均等に張力を作用させるように枠とビニール袋が接触する部分を水平に曲成して成る塵収納ビニール袋用スタンド。
【考案の詳細な説明】
【考案の詳細な説明】
【産業上の利用分野】
【０００１】  この考案は塵収納ビニール袋用スタンドに関するものである。
【背景技術】
【０００２】  従来、、吊り紐のないビニール袋を吊着するような適当な装置がなかった。
【考案が解決しょうとする課題】
【０００３】  従来、ビニール袋に塵などを収納する時は、袋の開口部の一部を片手で把持して他方の手で塵取りなどを利用していたが、袋の開口部が不安定で非常に作業性が悪かった。  本考案はビニール袋に塵などを収納し易いように袋の開口部をスタンド枠で強力に把持して大きく開口させて作業性を向上させると共に、安定的に吊着することを目的としたものである。
【課題を解決するための手段】
【０００４】  一対のスタンド枠（１）、（２）の互いに交叉している両側の部材の中間付近を軸（３）によって揺動自在に軸着し、上部にビニール袋（５）の開口部周辺を適宜な幅で外側に折り畳んで纏着させ、スタンド枠（１）・（２）の上部を拡げてビニール袋（５）の開口を大きくする。  この時、開口部の全周に亘って水平で、且つ均等に張力が作用するようにスタンド枠（１）・（２）の上部を図［１］に示す如く外側に折り曲げると共に、水平部の角が大きな曲線を描くように曲成する。
またスタンド枠（１）・（２）の軸着部の上方に折り曲げ式のストッパー（４）を軸着してビニールの張力が適正になるように長さを設定して延伸し係止する。
【作用】
【５０００】  スタンドの内側にビニール袋（５）を挿入し，ビニール袋の開口部の周辺を外側に適宜の幅で折り畳んでスタンド枠（１）・（２）の水平部に纏着し、枠の上部を外側に押し拡げるとスタンドの下部も同時に広がり安定して平らな場所に設置できる。ビニール袋（５）の開口部が所要の大きさに拡大し、張力が十分大きくなったとき、留め金（４）によってスタンド枠（１）・（２）を係止する。
ビニール袋（５）を取り外すときは、留め金（４）を折り畳んでスタンド枠（１）・（２）の上部を縮小するとビニール袋の張力が弛んで容易に取り外すことが出来る。
【実施例】
【０００６】  以下，本案の実施例について説明する。
スタンド枠（１）・（２）は脚部を交叉させ軸（３）で揺動自在に軸支されており上部はビニール袋（５）を吊着した時に開口部外周が水平になるように外側に折り曲げ、且つ均等にビニールに張力を付与させるために水平部分に丸味をもたせて曲成する。  スタンド枠（１）及び（２）は側面の脚部で交叉し揺動可能に軸（３）で軸止され各枠の一端に折り曲げ式のストッパー（４）が軸着されている。【０００７】  本案は以上のような構造で，これを使用する時はビニール袋（５）をスタンドの内側に入れ、開口部周辺をスタンド枠（１）・（２）の水平部に当接しながら外側に折り畳み、同時にスタンド枠（１）・（２）の上部を拡大させてビニール袋（５）を吊着するのに十分な張力が発生した時に、スタンドの脚部に軸着されたストッパー（４）を延伸させてスタンド枠（１）・（２）を押止する。  なおこの時、スタンドは脚部も拡大されているので平らな面に安定的に設置できる。
【考案の効果】
【０００８】市販の吊り紐が装着されていない塵収納用ビニール袋を容易に使用できる。
【図面の簡単な説明】
【図１】本考案の斜視図である。
【符号の説明】
１  スタンド枠
２  スタンド枠
３  軸
４  ストッパー
５  ビニール袋
【図１】
0003149321.tif 000003
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
棒材で形成した長方形の枠２個を中央で打ち違えにピンで揺動可能に組み合わせ、夫々の枠の上部にビニール袋の開口部周縁を掛着した時に、当接部が水平面をなすように縦枠部材の上部を外側に折り曲げ、且つビニール袋の当接部の張力が均等に作用するように横枠部材を滑らかな円弧で曲成し、下方に固定用ストッパーを設けた塵収納ビニール袋用スタンド。
【手続補正２】
【補正対象書類名】図面
【補正対象項目名】全図
【補正方法】変更
【補正の内容】
【図１】
0003149321.tif 000004
(57)【要約】【課題】継ぎ目の無いシリコンゴム製にて表面に凸凹を作り、表面が適度に硬く清潔、熱湯消毒、乾燥機の使用にも問題ない、また両面に凸凹面を付けてあるので左右の手どちらでも使用できる、水分をシャットアウト手袋の中にしみこむことがない、内側に凸面を付けたので滑りにくい事で硬いフタ開けにも、耐熱温度約２２０度Ｃ、耐冷温度約−３０度Ｃ、５本指なので家庭のクッキングや業務用に快適な作業を提供できる事を特徴とする。【解決手段】手袋の表面両面に凸凹がすべり止めそして左右の手どちらでも使用が可能、内面にも凸面部分で、滑らないシリコンゴムが熱をガード熱いもの冷たいものの食品調理が早く出来る。直接食品に触れないので手をやけどすることも解消、調理を楽しめる。この手袋はクッキング作業が使用する人に利便さと興味と驚きを提供する。【選択図】図１
0003149328.tif 000002
【実用新案登録請求の範囲】
【請求項１】
シリコンゴム素材で凸凹面が両面にあり調理のとき熱いもの冷たいものが左右どちらも使用できる
快適にクッキングに使用できる事を特徴とする。
【請求項２】
シリコンゴム素材手袋の表面部分に特殊凸凹面を作り両面に付けた事で左右どちらも使用できる、クッキング用の耐熱、耐冷、５本指を特徴とする請求項１記載の手袋
【請求項３】
シリコン製素材手袋の表面部分に凸凹が内側に凸がありすべらない、従来の布製にくらべて水分の浸透がないので安全なクッキング作業が出来る、継ぎ目がない、洗剤で洗うことが出来るので清潔、熱湯消毒も可能、高熱の料理処理、冷凍の食品もつかめる、高熱物の扱いも可能、なことを特徴とする請求項１記載の手袋
【請求項４】
高熱、冷凍食品のクッキング作業が左右どちらでもできる請求項２記載の手袋
【請求項５】
高熱、冷凍食品をまた調理器具をつかみやすい滑らないことでクッキングが快適に作業が早くできる請求項３記載の手袋
【考案の詳細な説明】
【技術分野】
【０００１】  本考案はクッキングに使用する手袋
【背景技術】
【０００２】従来の調理手袋は布製が存在していた、右用、左用、が固定仕様
指が自由にはならない物が多く使用していた。
【考案の開示】
【考案が解決しようとする課題】
【０００３】本考案の解決課題は、シリコンゴム製手袋の表面部分に凸凹を両面に付け内側に凸を付け、左右どちらの手でも使いて滑らない、耐熱耐冷にもクッキングに使用する手袋を提供する。
【課題を解決するための手段】
【０００４】上記課題を解決するために、請求項１記載の考案に係わる手袋は、シリコンゴム製手袋の表面部分に凸凹を両面に付け内側に凸を付け、左右どちらの手でも使いて滑らない、耐熱耐冷にも使用できる、食品の調理作業が早く快適にできることを特徴とする。
【考案の効果】
【０００５】請求項１から４記載の考案においては、シリコンゴム製手袋は５本の指が自由なので作業がしやすい
左右どちらの手でも使用可能で滑らない、手袋の洗浄、消毒が出来るので清潔、耐熱耐冷なので調理作業が早くできる。
【考案を実施するための最良の形態】
【０００６】図１に示す、手袋両面の表面に凸凹、内側に凸を付け左右どちらの手も使用可能ですべらない、耐熱、耐冷効果がある、調理作業が安全で早く出来る。
【実施例】
【０００７】図１に示すように手袋両面の表面に凸凹、内側に凸を付けすべらない、左右の手が使用可能、指が５本自由に動く
調理作業が安全で早く出来る、シリコンゴム素材を使用しているので水分の浸透が無い、従来の布製固定指手袋、は水分の浸透がある、表面にすべり止めがない方法と比較して調理作業に良好な手袋を提供する。
【産業上の利用可能性】
【０００８】従来布製ミトンでは熱湯などかかった場合ミトンにしみこみやけどの原因になりました、継ぎ目のないシリコンゴムを使用しているので水分が浸み込まない、従来の手袋は左右使用が決まっていたが左右どちらも使用できる仕様、凸凹面がすべり止めになる、５本指が自由に動く仕様によりクッキング作業が安全で楽しく早くできる効果がある。
【図面の簡単な説明】
【０００９】
【図１】
0003149328.tif 000003
【符号の説明】
【００１０】〔考案の名称〕５本指耐熱耐冷調理用手袋  耐熱クッキングママ
【図１】
0003149328.tif 000004
【手続補正書】
【提出日】平成20年12月15日(2008.12.15)
【手続補正１】
【補正対象書類名】実用新案登録請求の範囲
【補正対象項目名】請求項１
【補正方法】変更
【補正の内容】
【請求項１】
シリコンゴム素材手袋で凸凹面が両面にあり調理のとき耐熱、耐冷効果があり、左右どちらも使用できる快適にクッキングに使用できることを特徴とする手袋。
【手続補正２】
【補正対象書類名】明細書
【補正対象項目名】０００９
【補正方法】変更
【補正の内容】
【０００９】
【図１】左  正面図、右  裏面図